(57)【特許請求の範囲】
【請求項１】
先端部外周面にスペーサ部材を設けたスライドスリーブを固定スリーブ内に挿入してスリーブユニットを形成し、このスリーブユニットを建屋の開口部形成位置に配置する工程と、
前記スリーブユニットの周囲にコンクリートを打設して壁体を形成する工程と、
前記スライドスリーブの先端部をスペーサ部材とともにスライドさせて前記壁体の外面から突出させ、前記スペーサ部材を除去して前記壁体の外面部に凹部を形成する工程と、
前記壁体から突出させた前記スライドスリーブの先端部に、ツバ付屋外カバーのツバ部と壁体との間に間隙を隔ててツバ付屋外カバーを配置する工程と、
前記間隙を介して前記凹部と前記間隙とにシーリング材を充填して前記ツバ付屋外カバーを固着する工程と、
を有することを特徴とする建屋開口部へのツバ付屋外カバーの取付方法。
【請求項２】
先端部外周面に第１のスペーサ部材を設けたスライドスリーブを固定スリーブ内に挿入してスリーブユニットを形成し、このスリーブユニットを建屋の開口部形成位置に配置する工程と、
前記スリーブユニットの周囲にコンクリートを打設して壁体を形成する工程と、
前記スライドスリーブの先端部を前記第１のスペーサ部材とともにスライドさせて前記壁体の外面から突出させ、前記壁体の外面部に第１の凹部を形成する工程と、
前記第１のスペーサ部材の外周部に第２のスペーサ部材を設けるとともに、前記壁体の外面部に外壁層を形成する工程と、
前記第１および第２のスペーサ部材を除去して前記壁体に形成された前記第１の凹部と連通した第２の凹部を前記外壁層に形成する工程と、
前記外壁層から突出させた前記固定スリーブの先端部に、ツバ付屋外カバーのツバ部と外壁層との間に間隙を隔ててツバ付屋外カバーを配置する工程と、
前記間隙を介して前記第１の凹部と前記第２の凹部および前記間隙とにシーリング材を充填して前記ツバ付屋外カバーを固着する工程と、
を有することを特徴とする建屋開口部へのツバ付屋外カバーの取付方法。
【発明の詳細な説明】
【０００１】
【発明の属する技術分野】
本発明は、建屋開口部へのツバ付き屋外カバーの取付方法に係り、特に空調・換気設備の分野で使われる建屋開口部へのツバ付屋外カバーの取付方法に関する。
【０００２】
【従来の技術】
建屋の外壁等に設けられる通気孔の外側開口部には、雨よけなどの目的でツバのついた屋外カバーが取り付けられる。このような屋外カバーは、外側開口部にはめ込んで取り付けられるが、屋外カバーと外壁との接合部は、雨水の浸透を防ぐため、止水処理を施して取り付けられている。
【０００３】
図９は従来の止水処理を用いた取付方法について示したものである。図９において、屋外カバーを設置する壁体１には、壁体１を貫通して屋外と屋内とを連通する開口部が設けられており、この開口部に固定スリーブ２が配置されている。屋外カバー３は、この固定スリーブ２に挿着して取り付けられる。屋外カバー３は、筒状体として形成されており、その一端側を固定スリーブ２に差し込む挿入部４とし、他端側を雨よけのためのフード部５とした構成となっている。フード部５の基端部にあたる筒状体の外周にはツバ６が形成されており、このツバ６の挿入部側の側面が壁体１の表面に当接するまで挿入部４が固定スリーブ２に差し込まれて挿着されている。そして、ツバ６の外周部と壁体１の表面が形成する隅角部にシーリング材７を断面が三角形をなすよう充填して止水処理がなされて取り付けられている。
【０００４】
【発明が解決しようとする課題】
しかしながら、上述の屋外カバーの取付方法においては、ツバ６の外周部と壁体１の表面により形成される隅角部はツバ６の厚さ分しかなく、この部分にシーリング材７を充填しても接触面積が小さいため、剥離し易く耐久性に乏しいという問題があった。また、止水効果の面でも、屋外カバーを取り付けた後のシーリングであるため、壁体１の表面にタイル等の外壁が貼着された場合には、タイル表面−屋外カバー間の止水効果のみしか期待できない。このため、タイル本体−タイル下地間や、タイル下地−壁体表面間などからの水の浸透を防げないという問題があった。
【０００５】
本発明は、上記従来技術の問題点に着目してなされたもので、建屋の開口部に設置されるツバ付屋外カバーの取付方法および取付構造において、シーリングエリアの不足による漏水および各層間からの浸水の問題がなく、止水効果・耐久性に優れた建屋開口部の屋外カバーの取付方法を提供することを目的とする。
【０００６】
【課題を解決するための手段】
上記の目的を達成するために、本発明に係る建屋開口部へのツバ付屋外カバーの取付方法は、先端部外周面にスペーサ部材を設けたスライドスリーブを固定スリーブ内に挿入してスリーブユニットを形成し、このスリーブユニットを建屋の開口部形成位置に配置する工程と、前記スリーブユニットの周囲にコンクリートを打設して壁体を形成する工程と、前記スライドスリーブの先端部をスペーサ部材とともにスライドさせて前記壁体の外面から突出させ、前記スペーサ部材を除去して前記壁体の外面部に凹部を形成する工程と、前記壁体から突出させた前記スライドスリーブの先端部に、ツバ付屋外カバーのツバ部と壁体との間に間隙を隔ててツバ付屋外カバーを配置する工程と、前記間隙を介して前記凹部と前記間隙とにシーリング材を充填して前記ツバ付屋外カバーを固着する工程と、を有することを特徴とする。
【０００７】
このような構成とし、壁体に凹部を形成するとともに、ツバ付屋外カバーのツバ部と壁体の間に間隙を設けることにより、これら凹部と間隙により各部分の接合部を含んだ部分断面がＬ字状の空間部が形成される。この空間部にシーリング材を充填することにより止水処理を行うので、広いシーリングエリアが確保され、シーリング材の接触面積を大きくすることができるとともに、各部分の接合部からの浸水も防ぐことができる。これにより、耐久性および止水効果を飛躍的に向上させることができる。
【０００８】
また、本発明に係る建屋開口部へのツバ付屋外カバーの取付方法は先端部外周面に第１のスペーサ部材を設けたスライドスリーブを固定スリーブ内に挿入してスリーブユニットを形成し、このスリーブユニットを建屋の開口部形成位置に配置する工程と、前記スリーブユニットの周囲にコンクリートを打設して壁体を形成する工程と、前記スライドスリーブの先端部を前記第１のスペーサ部材とともにスライドさせて前記壁体の外面から突出させ、前記壁体の外面部に第１の凹部を形成する工程と、前記第１のスペーサ部材の外周部に第２のスペーサ部材を設けるとともに、前記壁体の外面部に外壁層を形成する工程と、前記第１および第２のスペーサ部材を除去して前記壁体に形成された前記第１の凹部と連通した第２の凹部を前記外壁層に形成する工程と、前記外壁層から突出させた前記固定スリーブの先端部に、ツバ付屋外カバーのツバ部と外壁層との間に間隙を隔ててツバ付屋外カバーを配置する工程と、前記間隙を介して前記第１の凹部と前記第２の凹部および前記間隙とにシーリング材を充填して前記ツバ付屋外カバーを固着する工程と、を有することを特徴とする。
【０００９】
このような構成とすることにより、壁体に凹部を形成するスペーサ部材を設けたスライドスリーブを、壁体の表面から突出するようにスライドさせた後に外壁層を形成しているので、壁体だけでなく、外壁層にも凹部が形成される。さらにツバ付屋外カバーのツバ部と外壁層の間に間隙を設け、壁体と外壁層に形成された凹部と間隙により空間部を形成する。そして、この空間部にシーリング材を充填し、止水処理を施す。このように、各層間に連結されたシーリングエリアに止水処理を行うので、各層の層間からの水分の浸透を防ぐことができる。また、広いシーリングエリアが得られ、シーリング材の接触面積が大きくすることができる。これにより、止水効果および耐久性を飛躍的に向上させることができる。
【００１１】
【発明の実施の形態】
以下に、本発明に係る建屋開口部のツバ付屋外カバーの取付方法の具体的実施形態を、図面を参照しつつ、詳細に説明する。
【００１２】
図１は、第１の実施形態に係る建屋開口部のツバ付屋外カバーの取付方法を用いて壁体に取り付けられたツバ付屋外カバーの縦断面図を示している。図１において、壁体１０の内部には固定スリーブ１２が配置され、この固定スリーブ１２の内部にスライドスリーブ１４と空調用のダクト１６が屋外側壁面２８と屋内側壁面２９を連通するように挿入されており、通気孔を形成している。スライドスリーブ１４の外側開口部には、ツバ付屋外カバー１８が装着されている。ツバ付屋外カバー１８は、平板により形成されたツバ２０と、ツバ２０に取り付けられた雨よけとなるフード部２２と、ツバ２０の開口部に取り付けられフード部２２の内部と外部を連通する筒状体からなる挿入部２４から構成されている。挿入部２４は、スライドスリーブ１４の外側開口部へ挿通され、これにより通気孔と接続されて雨よけ部を構成している。そして、壁体１０に形成された凹部２６と、ツバ２０と屋外側壁面２８の間の間隙３０にはシーリング材３２が充填され、これにより止水処理が施されている。
【００１３】
上記のように建屋開口部のツバ付屋外カバー１８を壁体１０に取り付けるための取付方法の手順を以下に説明する。
まず図２（１）に示すように、固定スリーブ１２と、この固定スリーブ１２の内径と同じ外径を有するスライドスリーブ１４によりスリーブユニット３４を構成する。すなわち、スライドスリーブ１４は固定スリーブ１２の内部をスライドするように挿入されている。そして、スライドスリーブ１４は、その屋外側壁面２８側の開口部が固定スリーブ１２の一端開口部から突出するように配置され、この突出部にはスペーサ部材であるゴム板３６が巻きつけられている。
【００１４】
このように構成されたスリーブユニット３４は、建屋の開口部形成位置に配置される。そして、スリーブユニット３４の周囲にコンクリートが打設され、スリーブユニット３４により開口部が形成された壁体１０が形成される。図４は、このときの開口部を屋外側壁面２８側から見た図である。図示されるように、スライドスリーブ１４と屋外側壁面２８の間にゴム板３６が介在した構成となっている。
【００１５】
このようにしてスリーブユニット３４により開口部を形成した後、図２（２）に示すように、スライドスリーブ１４を屋外側壁面２８側にスライドさせ、外側壁面２８から突出した状態にするとともに、ゴム板３６を除去する。これにより、屋外側壁面２８とスライドスリーブ１４の間に凹部２６が形成される。
【００１６】
次に、図２（３）に示されるように、ダクト１６およびツバ付屋外カバー１８を設置する。図示されるように、屋内側壁面２９の固定スリーブ１２の開口端には、ダクト１６が挿入される。ダクト１６は、固定スリーブ１２の内径と同じ外径を持った樹脂製の管であり、屋内から排気される空気や、屋外から取り入れた空気が通流する経路を構成している。一方、外側壁面２８のスライドスリーブ１４の開口端には、ツバ付屋外カバー１８の挿入部２４が差し込まれることによりツバ付屋外カバー１８が装着される。これにより、図３（１）に示されるように、屋外側壁面２８の開口部に雨よけ部が形成されるとともに、ツバ付屋外カバー１８とスライドスリーブ１４およびダクト１６が連接された構成となり、壁体１０を貫通した空気の供給・排出経路が形成される。
【００１７】
このとき、ツバ付屋外カバー１８が取り付けられるスライドスリーブ１４の開口端は、屋外側壁面２８から突出して配置されている。このため、スライドスリーブ１４の開口端に当接するツバ付屋外カバー１８のツバ２０は、スライドスリーブ１４の開口端面と同じ面内に位置し、ツバ２０と屋外側壁面２８の間には幅１０ｍｍ程度の間隙３０が形成される。この間隙３０は、図３（１）に示すように、壁体１０に形成された凹部２６とともに、壁体１０と固定スリーブ１２、固定スリーブ１２とスライドスリーブ１４、それぞれの接合部を含んだ部分断面がＬ字状の空間部３８を形成する。
【００１８】
そして、形成された空間部３８にシーリング材を充填することにより止水処理を施す。すなわち、図３（２）に示すように、ツバ付屋外カバー１８と屋外側壁面２８が形成する間隙３０を介して壁体１０に形成された凹部２６にシーリング材３２を充填し、さらに間隙３０にも同様の処置を施すことにより、空間部３８をシーリングして止水処理される。これにより、ツバ２０と屋外側壁面２８の間から浸水することを防ぐことができる。このような止水処理を行って、ツバ付屋外カバー１８の取付作業を完了する。
【００１９】
この実施形態によれば、壁体に凹部２６を形成し、さらにツバ付屋外カバー１８のツバ２０と壁体１０の間に間隙３０を設けることにより、これら凹部２６と間隙３０により各部分の接合部を含んだ空間部３８が形成される。この空間部３８にシーリング材３２を充填することにより止水処理を行うので、広いシーリングエリアが確保され、シーリング材３２の接触面積を大きくすることができるとともに、各部分の接合部からの浸水も防ぐことができる。これにより、耐久性および止水効果を飛躍的に向上させることができる。
【００２０】
図５および図６は、第２の実施形態に係る例を示している。これは、上記第１の実施形態では、壁体１０の屋外側壁面２８に何も貼らない場合の取付方法についてのものであったのに対し、屋外側壁面２８に外壁層としてタイルを貼着する場合の取付方法である点で異なる。
【００２１】
まず、図５（１）に示されるように、第１の実施形態における場合と同様に、固定スリーブ１２とスライドスリーブ１４によりスリーブユニット３４を構成し、固定スリーブ１２の内部に挿入したスライドスリーブ１４の屋外側壁面２８の開口部が固定スリーブ１２の一端開口部から突出するように配置するとともに、突出させた部分の外周に第１のスペーサ部材としてゴム板３６を巻きつける。そして、スリーブユニット３４の周囲にコンクリートを打設し、壁体１０を形成する。
【００２２】
壁体１０を形成した後、図５（２）に示されるように、スライドスリーブ１４をゴム板３６とともにスライドさせ、屋外側壁面２８から突出するように配置する。これにより、壁体１０に第１の凹部である壁体側凹部４０が形成される。そして、ゴム板３６の外周に第２のスペーサ部材である二重ゴム板４２を捲着する。
【００２３】
次に、図５（３）に示されるように、スライドスリーブ１４、ゴム板３６および二重ゴム板４２が突出している部分以外の屋外側壁面２８にタイル下地４４を塗布し、その上にタイル本体４６を貼着してタイル面４８を形成する。そして、ゴム板３６および二重ゴム板４２を除去する。これにより、図６（１）に示すように、タイル面４８とタイル下地４４の層に第２の凹部であるタイル側凹部５０が形成される。
【００２４】
続いて、図６（１）に示されるように、ダクト１６およびツバ付屋外カバー１８をそれぞれ屋内側壁面２９側の固定スリーブ１２の開口端と屋外側壁面２８のスライドスリーブ１４の開口端に挿入する。これにより、屋外側壁面２８の開口部に雨よけ部を形成するとともに、ツバ付屋外カバー１８とスライドスリーブ１４およびダクト１６による空気の供給・排出経路が形成される。このとき、図６（２）に示すように、ツバ付屋外カバー１８は、前方にずらして取り付け、ツバ２０とタイル面４８との間に幅１０ｍｍ程度の間隙５２を設けるようにする。これにより、壁体１０に設けられた壁体側凹部４０と、タイル下地４４およびタイル本体４６に設けられたタイル側凹部５０と間隙５２が互いに連結した構成となり、一つの空間部５４が形成される。そして、図６（３）に示されるように、空間部５４にシーリング材３２を充填する。これにより、ツバ付屋外カバー１８とタイル本体４６、タイル下地４４および壁体１０の間の止水処理が施される。
【００２５】
このように、各層間に連結されたシーリングエリアに止水処理を行うので、各層の層間からの浸水を防ぐことができる。また、広いシーリングエリアが確保されるため、シーリング材３２の接触面積を大きくすることができる。これにより、止水効果および耐久性を飛躍的に向上させることができる。
【００２６】
図７および図８は、第３の実施形態に基づく建屋開口部のツバ付屋外カバーの取付構造の縦断面図および斜視図を示している。ツバ付屋外カバー５６は、一端部を湾曲させた平板によりフード部５８を形成し、その両端に側板６０を設けた構成となっている。そして、フード部５８の基端部に外縁部６２を設けるとともに、フード部５８の上面と側板６０には、外縁部６２と平行に間隔を有して止めツバ６４が形成されている。
【００２７】
壁体１０の開口部には、角管状のスリーブの開口端にツバ６５が形成されたツバ付スリーブ６６が嵌め込まれている。このツバ６５とツバ付屋外カバー５６の外縁部６２に係止孔を設けて両者を当接し、この係止孔を介してボルト６８およびナット７０を用いて接合することによりツバ付屋外カバー５６がツバ付スリーブ６６に固定される。
【００２８】
このとき、ツバ付屋外カバー５６の外縁部６２と、止めツバ６４の間には間隔があるため、外縁部６２とツバ６５の接合部と、止めツバ６４の間には間隙７２が形成される。この間隙７２には、止水処理が施される。すなわち、間隙７２にシーリング材７４を充填し、外縁部６２とツバ６５の接合部、ツバ付スリーブ６６と壁体１０の嵌合部をシーリングする。
【００２９】
なお、厨房の排気系統など、特に排気風に含まれる水分、油脂などによる腐食が考えられ、更新計画を検討しなければならない部位には、バックアップ材７６を挿入することで、取り外しを容易にすることができる。
【００３０】
このような実施形態によれば、ツバ付屋外カバー５６の止めツバ６４と壁面との間に間隙を形成し、この間隙にシーリング材を充填することにより、ツバ付屋外カバー５６とツバ付スリーブ６６との接合部および壁体１０とツバ付スリーブ６６の間からの浸水だけでなく、ボルト６８やナット７０などの締結部からの浸水にも対応できる。
【００３１】
【発明の効果】
以上説明したように、本発明は、壁体に形成された凹部と、ツバ付屋外カバーが備えるツバ部と壁体の壁面との間に形成される間隙とにより形成される空間部にシーリング材を充填することにより止水処理を行うので、広いシーリングエリアが得られ、シーリング材の接触面積が大きくすることができる。これにより、止水効果および耐久性が飛躍的に向上させることができる。
【図面の簡単な説明】
【図１】  本発明の第１実施形態に係る取付方法を用いて壁体に取り付けられたツバ付屋外カバーの縦断面図である。
【図２】  本発明の第１実施形態に係る取付方法の前半の作業工程図である。
【図３】  本発明の第１実施形態に係る取付方法の後半の作業工程図である。
【図４】  壁体に取り付けられたスリーブユニットの正面図である。
【図５】  本発明の第２実施形態に係る取付方法の前半の作業工程図である。
【図６】  本発明の第２実施形態に係る取付方法の後半の作業工程図である。
【図７】  本発明の第３実施形態に基づくツバ付屋外カバーの取付構造を示す縦断面図である。
【図８】  本発明の第３実施形態に基づくツバ付屋外カバーの構造を示す斜視図である。
【図９】  従来の取付方法を用いて壁体に取り付けられた屋外カバーの縦断面図である。
【図１】
0003832368.tif 000002
【図２】
0003832368.tif 000003
【図３】
0003832368.tif 000004
【図４】
0003832368.tif 000005
【図５】
0003832368.tif 000006
【図６】
0003832368.tif 000007
【図７】
0003832368.tif 000008
【図８】
0003832368.tif 000009
【図９】
0003832368.tif 000010